Podtech/llm-jp-corpus-v4-ja_patent huggingface dataset:
【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
少なくとも二つ以上のアンテナを用いて無線によりデータの送信と受信とをおこなう無線送受信機であって、
予め優先度が付与されている送信データの優先度を判定する優先制御部を具備し、
前記優先制御部により判定された送信データの優先度に基づいて、送信データを複数の送信ストリームに分配して送信する第一の伝送方法と、送信データを時空間符号化処理する第二の伝送方法とを切り替えることを特徴とする無線送受信機。
【請求項２】
請求項１において、
送信先を一意に識別する識別子と、前記送信先ごとに通信先の伝送路の状態を表す送信モードとを対応させた送信モードテーブルを具備し、
前記識別子により識別される送信先にデータを送信するにあたり、前記送信データの優先度と前記送信モードテーブルの送信モードとに基づいて、前記第一の伝送方法と前記第二の伝送方法とを切り替えることを特徴とする無線送受信機。
【請求項３】
請求項２において、
前記送信モードを前記送信先からの受信信号に基づいて前記送信先に対応した送信モードを更新することを特徴とする無線送受信機。
【請求項４】
請求項３において、
データ受信時に受信データが誤りなく受信された場合には、ＡＣＫフレームを所定の時間以内または所定のタイミングで送信し、誤りがある場合には、ＮＡＣＫフレームを所定の時間以内または所定のタイミングで送信し、
ＡＣＫフレームまたはＮＡＣＫフレームの受信の有無に基づいて前記送信モードを更新することを特徴とする無線送受信機。
【請求項５】
請求項３において、
データ受信時に受信データが誤りなく受信された場合には、ＡＣＫフレームを所定の時間以内または所定のタイミングで送信し、誤りがある場合には、ＮＡＣＫフレームを所定の時間以内または所定のタイミングで送信し、
ＡＣＫフレームまたはＮＡＣＫフレームの受信信号の信号強度に基づいて前記送信モードを更新することを特徴とする無線送受信機。
【請求項６】
請求項３において、
データ受信時に受信データが誤りなく受信された場合には、ＡＣＫフレームを所定の時間以内または所定のタイミングで送信し、誤りがある場合には、ＮＡＣＫフレームを所定の時間以内または所定のタイミングで送信し、
ＡＣＫフレームまたはＮＡＣＫフレームの受信信号の伝送行列の固有値に基づいて前記送信モードテーブルを更新することを特徴とする無線送受信機。
【請求項７】
請求項１において、
前記優先制御部において判定された優先度に基づいて変調方式を選択することを特徴とする無線送受信機。
【請求項８】
請求項１において、
前記優先制御部において判定された優先度に基づいて符号化方式を選択することを特徴とする無線送受信機。
【請求項９】
請求項１において、
前記優先度が低い場合には第一の伝送方法を用い、前記優先度が高い場合には第二の伝送方法を用いることを特徴とする無線送受信機。
【請求項１０】
複数のアンテナを用いて無線により予め優先度が付与されたデータの送信と受信とをおこなう無線送受信機であって、
予め優先度が付与されている送信データの、優先度を判定する優先制御部を具備し、
前記優先制御部により判定された送信データの優先度に基づいて、複数アンテナからデータを送信する伝送方法として、ＳＤＭ(Space Division MuItiplexing)とＳＴＢＣ(Space Time Block Coding)とを使い分けることを特徴とする無線送受信機。
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
アンテナを備えるホスト装置に着脱可能な無線カードであって、
前記ホスト装置の備えるアンテナと接続可能なアンテナ接続端子と、
自装置内部に備える内部アンテナと、
前記アンテナ接続端子に入力される信号または前記内部アンテナから入力される信号のいずれかまたは両方を選択するセレクタと、
前記セレクタで選択された信号について変復調を行う無線変復調部と、
前記無線変復調部に関する情報および前記内部アンテナに関する情報を記憶するカード情報メモリと、を備え、
前記ホスト装置は、前記ホスト装置の備えるアンテナに関する情報および前記カード情報メモリに記憶された情報に基づいて、前記セレクタの選択に関して前記無線カードに指示し、
前記セレクタは、前記ホスト装置からの指示に基づいて信号の選択を行う、
無線カード。
【請求項２】
前記ホスト装置の備えるアンテナおよび前記内部アンテナのそれぞれについて性能を計測し、前記計測されたアンテナ性能を前記ホスト装置に供給するアンテナ信号計測手段と、前記ホスト装置の備えるアンテナと前記内部アンテナの性能を比較する性能比較手段をさらに備える無線カード。
【請求項３】
前記セレクタが前記アンテナ接続端子に入力される信号および前記内部アンテナから入力される信号の両方を選択した場合、前記セレクタは、それぞれのアンテナに入力される信号の受信状況に応じて、前記アンテナ接続端子に入力される信号と前記内部アンテナから入力される信号とを動的に切り替えるダイバーシティ制御を行う、
請求項１または２に記載の無線カード。
【請求項４】
アンテナ接続端子と、自装置内部に備える内部アンテナと、前記アンテナ接続端子に入力される信号または前記内部アンテナから入力される信号のいずれかまたは両方を選択するセレクタと、前記セレクタで選択された信号について変復調を行う無線変復調部と、前記無線変復調部に関する情報および前記内部アンテナに関する情報を記憶するカード情報メモリと、を備える無線カードを着脱可能なホスト装置であって、
前記アンテナ接続端子に接続可能なアンテナと、
前記ホスト装置の備えるアンテナに関する情報および前記カード情報メモリに記憶された情報に基づいて、入力される信号の選択に関して前記セレクタに指示するカード制御部と、
を備えるホスト装置。
【請求項５】
アンテナ接続端子と、自装置内部に備える内部アンテナと、前記アンテナ接続端子に入力される信号または前記内部アンテナから入力される信号のいずれかまたは両方を選択するセレクタと、前記セレクタで選択された信号について変復調を行う無線変復調部と、前記アンテナ接続端子に接続されたアンテナおよび前記内部アンテナのそれぞれについて性能を計測し、前記計測されたアンテナ性能を前記ホスト装置に供給するアンテナ信号計測手段と、を備える無線カードを着脱可能なホスト装置であって、
前記アンテナ接続端子に接続可能なアンテナと、
前記アンテナ信号計測手段で計測されたアンテナ性能に基づいて、入力される信号の選択に関して前記セレクタに指示するカード制御部と、
を備えるホスト装置。
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
外周面が周方向に異なる極に交互に着磁された円筒状のマグネットと、
前記マグネットと同軸で且つ前記マグネットの軸方向の側に配置されるコイルと、
前記コイルにより励磁され、前記マグネットの外周面に対向して配置される櫛歯形状の外側磁極部と、
前記コイルにより励磁され、軸方向一方の部分が前記コイルの内側に挿入されると共に、軸方向他方の部分が前記マグネットの内径部に固定されるロータと、
前記マグネットに対して前記コイルの配置側とは反対側に配置され、前記ロータを回転可能に保持すると共に前記ロータの軸方向の位置規制を行う回転保持部と、前記外側磁極部の先端部に係合する係合部とを有し、前記コイルに給電を行うプリント基板と、
を備えることを特徴とする駆動装置。
【請求項２】
前記マグネットの回転に伴い、前記コイルが巻回されるボビンの径方向に沿って配設された案内溝内で往復動作する駆動部材を更に備えることを特徴とする請求項１記載の駆動装置。
【請求項３】
外周面が異なる極に着磁されたマグネット部を有する円筒状のマグネットロータと、
前記マグネットロータの外周面に対向して配置されるステータと、
前記ステータに固定され、前記ステータを励磁するコイルと、
前記マグネットロータを回転可能に保持すると共に前記マグネットロータの軸方向の位置規制を行う回転保持部と、前記コイルが巻回されるボビンに係合する係合部とを有し、前記コイルに給電を行うプリント基板と、
を備えることを特徴とする駆動装置。
【請求項４】
前記マグネットロータの回転に伴い、非駆動部に配設された案内溝内で往復動作する駆動部材を更に備えることを特徴とする請求項３記載の駆動装置。
【請求項５】
前記プリント基板は、フレキシブルプリント基板、ハードプリント基板を含む群から選択されることを特徴とする請求項１又は３記載の駆動装置。
【請求項６】
前記請求項１乃至５の何れかに記載の駆動装置が搭載されることを特徴とする撮像装置。
【手続補正２】
【補正対象書類名】明細書
【補正対象項目名】００１９
【補正方法】変更
【補正の内容】
【００１９】
上述の目的を達成するために、本発明の駆動装置は、外周面が周方向に異なる極に交互に着磁された円筒状のマグネットと、前記マグネットと同軸で且つ前記マグネットの軸方向の側に配置されるコイルと、前記コイルにより励磁され、前記マグネットの外周面に対向して配置される櫛歯形状の外側磁極部と、前記コイルにより励磁され、軸方向一方の部分が前記コイルの内側に挿入されると共に、軸方向他方の部分が前記マグネットの内径部に固定されるロータと、前記マグネットに対して前記コイルの配置側とは反対側に配置され、前記ロータを回転可能に保持すると共に前記ロータの軸方向の位置規制を行う回転保持部と、前記外側磁極部の先端部に係合する係合部とを有し、前記コイルに給電を行うプリント基板と、を備えることを特徴とする。
【手続補正３】
【補正対象書類名】明細書
【補正対象項目名】００２０
【補正方法】変更
【補正の内容】
【００２０】
上述の目的を達成するために、本発明の駆動装置は、外周面が異なる極に着磁されたマグネット部を有する円筒状のマグネットロータと、前記マグネットロータの外周面に対向して配置されるステータと、前記ステータに固定され、前記ステータを励磁するコイルと、前記マグネットロータを回転可能に保持すると共に前記マグネットロータの軸方向の位置規制を行う回転保持部と、前記コイルが巻回されるボビンに係合する係合部とを有し、前記コイルに給電を行うプリント基板と、を備えることを特徴とする。
【手続補正４】
【補正対象書類名】明細書
【補正対象項目名】００６３
【補正方法】変更
【補正の内容】
【００６３】
１  マグネット
２  コイル
３  ボビン
３ｄ  案内溝
４  ステータ
４ａ〜４ｄ  外側磁極部
５  ロータ
５ａ  内側磁極部
６  出力部材
６ａ  駆動ピン（駆動部材）
７  ＦＰＣ（プリント基板）
１１  マグネットロータ
１１ｅ  駆動ピン（駆動部材）
１２  コイル
１３  ボビン
１４  ステータ
１４ａ、１４ｂ  腕部
１５  ＦＰＣ（プリント基板）
１６ａ  シャッタ地板の案内溝（非駆動部の案内溝）
【手続補正書】
【提出日】平成20年2月28日(2008.2.28)
【手続補正１】
【補正対象書類名】特許請求の範囲
【補正対象項目名】請求項６
【補正方法】変更
【補正の内容】
【請求項６】
ニキビの改善作用及び／又はニキビの予防作用を有する旨の表示を有することを特徴とする、請求項１〜５何れか１項に記載の食品組成物。
【手続補正２】
【補正対象書類名】明細書
【補正対象項目名】０００２
【補正方法】変更
【補正の内容】
【０００２】
ニキビは、多くの人が経験する極一般的な皮膚の異常であるが、この程度や発生時期、発生頻度などは個体差が大きく、且つ、対処の如何によっては瘢痕を残すことも存するので、侮れない皮膚以上であると言える。ニキビの原因は、明確には特定されていないが、内分泌異常、好気性菌スタフィロコカス エピデルミディス（Staphylococcus Epidermidis）や嫌気性菌プロピオニバクテリウム アクネス（Propionibacterium acnes）等による細菌感染、脂質代謝および糖代謝異常、ビタミンＡ群及びＢ群の欠乏、消化器障害、脂肪・糖分の過剰摂取、遺伝子的因子等が重要な因子となっていることは誰も否定できない。この様な因子の存在を踏まえ、ニキビの処置は、ビタミンＡ群乃至はＢ群の投与、アスコルビン酸類の皮膚外用での投与、微量元素の補充などが既に知られている（例えば、特許文献１、特許文献２、特許文献３、特許文献４を参照）。又、その投与経路も皮膚外用、内服ともに知られている。しかしながら、この様な手段ではニキビ対応は充分ではなく、今日もニキビ瘢痕の治療のために形成外科を訪れる人が多いのは周知の事実である。
【手続補正３】
【補正対象書類名】明細書
【補正対象項目名】０００３
【補正方法】変更
【補正の内容】
【０００３】
他方、グルコン酸亜鉛は、食品などの亜鉛供給源として、ラクトフェリンとともに食品組成物に配合する技術が知られている（例えば、特許文献５、特許文献６を参照）。又、特許文献５は、グルコン酸亜鉛とビタミンＢ群とを組み合わせて食品組成物に含有せしめる技術の可能性も示唆している。更に、特許文献６も頭皮疾患治療用の経口投与組成物に於いて、グルコン酸亜鉛とグルコン酸銅を組み合わせて配合する技術の可能性を開示している。
【手続補正４】
【補正対象書類名】明細書
【補正対象項目名】０００７
【補正方法】変更
【補正の内容】
【０００７】
この様な状況に鑑みて、本発明者らは、新規のニキビの改善・予防手段を求めて、鋭意研究努力を重ねた結果、１）グルコン酸銅と２）グルコン酸亜鉛とを含有する食品組成物であって、前記グルコン酸銅とグルコン酸亜鉛の含有質量比が、１：９９〜１０：９０である構成の食品組成物がその様な特性を有していることを見出し、発明を完成させるに至った。即ち、本発明は、以下に示すとおりである。
（１）１）グルコン酸銅と２）グルコン酸亜鉛とを含有する食品組成物であって、前記グルコン酸銅とグルコン酸亜鉛の含有質量比が、１：９９〜１０：９０であることを特徴とする、食品組成物。
（２）更に、ビタミンＢ類を含有することを特徴とする、（１）に記載の食品組成物。
（３）前記ビタミンＢ類が、ビタミンＢ２及び／又はビタミンＢ６であることを特徴とする、（２）に記載の食品組成物。
（４）前記ビタミンＢ類が、食用の油脂で被覆されていることを特徴とする、（２）又は（３）に記載の食品組成物。
（５）ニキビの改善及び／又は予防を目的とするものであることを特徴とする、（１）〜（４）何れか１項に記載の食品組成物。
（６）ニキビの改善作用及び／又はニキビの予防作用を有する旨の表示を有することを特徴とする、（１）〜（５）何れか１項に記載の食品組成物。
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
可視光を発光する可視照明装置と、赤外光を発光する赤外照明装置と、主走査方向に延在され、且つ、夫々異なる分光感度特性を有する少なくとも３つのラインセンサーと、該可視照明装置および該赤外照明装置により照明され、原稿台に載置された原稿の画像情報を該少なくとも３つのラインセンサーに結像させる結像光学系と、該結像光学系と該原稿の副走査方向の相対的位置を移動させる駆動手段と、を備えた画像読取装置において、
一回の主走査方向の読取り毎に該赤外照明装置を消灯させた状態で該可視照明装置の点灯させて該原稿の可視画像情報を取得する動作と該可視照明装置を消灯させた状態で該赤外照明装置の点灯させて該原稿の赤外画像情報を取得する動作を行う制御手段を有することを特徴とする画像読取装置。
【請求項２】
可視光を発光する可視照明装置と、赤外光を発光する赤外照明装置と、主走査方向に延在され、且つ、夫々異なる分光感度特性を有する少なくとも３つのラインセンサーと、該可視照明装置および該赤外照明装置により照明され、原稿台に載置された原稿の画像情報を該少なくとも３つのラインセンサーの上に結像させる結像光学系と、該結像光学系と該原稿の副走査方向の相対的位置を移動させる駆動手段と、を備えた画像読取装置において、
一回の主走査方向の読取り毎に該可視照明装置を点灯させた状態で該赤外照明装置の消灯させて該原稿の可視画像情報を取得する動作と該可視照明装置を点灯させた状態で該赤外照明装置の点灯させて該原稿の可視赤外画像情報を取得する動作を行う制御手段を有することを特徴とする画像読取装置。
【請求項３】
可視光を発光する可視照明装置と、赤外光を発光する赤外照明装置と、主走査方向に延在され、且つ、夫々異なる分光感度特性を有する少なくとも３つのラインセンサーと、該可視照明装置および該赤外照明装置により照明され、原稿台に載置された原稿の画像情報を該少なくとも３つの１次元の光電変換素子に結像させる結像光学系と、該結像光学系と該原稿の副走査方向の相対的位置を移動させる駆動手段と、を備えた画像読取装置において、
一回の主走査方向の読取り毎に該赤外照明装置を点灯させた状態で該可視照明装置の消灯させて該原稿の赤外画像情報を取得する動作と該赤外照明装置を点灯させた状態で該可視照明装置の点灯させて該原稿の可視赤外画像情報を取得する動作を行う制御手段を有することを特徴とする画像読取装置。
【手続補正２】
【補正対象書類名】明細書
【補正対象項目名】００２３
【補正方法】変更
【補正の内容】
【００２３】
請求項１の発明の画像読取装置は、
可視光を発光する可視照明装置と、赤外光を発光する赤外照明装置と、主走査方向に延在され、且つ、夫々異なる分光感度特性を有する少なくとも３つのラインセンサーと、該可視照明装置および該赤外照明装置により照明され、原稿台に載置された原稿の画像情報を該少なくとも３つのラインセンサーに結像させる結像光学系と、該結像光学系と該原稿の副走査方向の相対的位置を移動させる駆動手段と、を備えた画像読取装置において、
一回の主走査方向の読取り毎に該赤外照明装置を消灯させた状態で該可視照明装置の点灯させて該原稿の可視画像情報を取得する動作と該可視照明装置を消灯させた状態で該赤外照明装置の点灯させて該原稿の赤外画像情報を取得する動作を行う制御手段を有することを特徴としている。
【手続補正３】
【補正対象書類名】明細書
【補正対象項目名】００２４
【補正方法】変更
【補正の内容】
【００２４】
請求項２の発明の画像読取装置は、
可視光を発光する可視照明装置と、赤外光を発光する赤外照明装置と、主走査方向に延在され、且つ、夫々異なる分光感度特性を有する少なくとも３つのラインセンサーと、該可視照明装置および該赤外照明装置により照明され、原稿台に載置された原稿の画像情報を該少なくとも３つのラインセンサーの上に結像させる結像光学系と、該結像光学系と該原稿の副走査方向の相対的位置を移動させる駆動手段と、を備えた画像読取装置において、
一回の主走査方向の読取り毎に該可視照明装置を点灯させた状態で該赤外照明装置の消灯させて該原稿の可視画像情報を取得する動作と該可視照明装置を点灯させた状態で該赤外照明装置の点灯させて該原稿の可視赤外画像情報を取得する動作を行う制御手段を有することを特徴としている。
【手続補正４】
【補正対象書類名】明細書
【補正対象項目名】００２５
【補正方法】変更
【補正の内容】
【００２５】
請求項３の発明の画像読取装置は、
可視光を発光する可視照明装置と、赤外光を発光する赤外照明装置と、主走査方向に延在され、且つ、夫々異なる分光感度特性を有する少なくとも３つのラインセンサーと、該可視照明装置および該赤外照明装置により照明され、原稿台に載置された原稿の画像情報を該少なくとも３つの１次元の光電変換素子に結像させる結像光学系と、該結像光学系と該原稿の副走査方向の相対的位置を移動させる駆動手段と、を備えた画像読取装置において、
一回の主走査方向の読取り毎に該赤外照明装置を点灯させた状態で該可視照明装置の消灯させて該原稿の赤外画像情報を取得する動作と該赤外照明装置を点灯させた状態で該可視照明装置の点灯させて該原稿の可視赤外画像情報を取得する動作を行う制御手段を有することを特徴としている。
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００３５
【補正方法】変更
【補正の内容】
【００３５】
１０９はキャリッジであり、後述する複数の折り返しミラー１０６、結像光学系（結像レンズ）１０７、そしてラインセンサーより成る読取手段１０８等を保持しており、モータなどの駆動手段としての駆動装置１０５により図中の副走査方向へ走査し、後述する図２に示すフローチャートに基づいて原稿１０３の可視画像情報と赤外画像情報を取得（読取り）している。読取られた可視画像情報と赤外画像情報はインターフェイスを通じて外部機器であるパーソナルコンピューターなどに送られる。
【手続補正９】
【補正対象書類名】明細書
【補正対象項目名】００４５
【補正方法】変更
【補正の内容】
【００４５】
このように本実施例では上記の如く一主走査の読取り毎に可視照明装置１０１と赤外照明装置１０２の点灯動作を切り替えている。そして結像光学系１０７と原稿１０３との副走査方向への一回の相対的位置の変移によって、３ラインCCD１０８より、原稿の可視画像情報と赤外画像情報の双方を高速で取得する動作を行う制御手段を有している。
【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
遅延器と乗算器とが直列に接続されて構成されるトランスバーサルフィルタにおいて、
タップ係数設定部によって設定された第１のタップ係数と入力信号とを乗算して出力する第１の乗算器と、
前記第１の乗算器が出力した値を所定の時間遅延して出力する第１の遅延器と、
入力信号と前記タップ係数設定部によって設定された第２のタップ係数とを乗算して出力する第２の乗算器と、
前段の遅延器が出力した値と前記第２の乗算器が出力した値とを加算して出力する第１の加算器と、
前記第１の加算器が出力した値を所定の時間遅延して出力する第２の遅延器と、
前記入力信号、第１の遅延器が出力した値又は第２の遅延器が出力した値のいずれか一つを選択して出力するセレクタと、
を備えることを特徴とするトランスバーサルフィルタ。
【請求項２】
Ｎ個の乗算器と、Ｎ個の遅延器と、Ｎ−１個の加算器と、タップ係数設定部と、セレクタと、を備えたトランスバーサルフィルタであって、
１番目の前記遅延器は、前記１番目の乗算器が出力した値を所定の時間遅延し、
ｋ（１≦ｋ≦Ｎ）番目の前記乗算器は、前記タップ係数設定部によって指定されたタップ係数と入力信号とを乗算し、
ｊ（１≦ｊ≦Ｎ−１）番目の前記加算器は、ｊ−１番目の前記遅延器が出力した値とｊ番目の前記乗算器が出力した値とを加算し、
ｈ番目の前記遅延器（２≦ｈ≦Ｎ）は、ｈ−１番目の前記加算器が出力した値を所定の時間遅延し、
前記セレクタは、入力信号又は前記Ｎ番目の遅延器が出力した値のいずれか一つを選択して出力することを特徴とするトランスバーサルフィルタ。
【請求項３】
前記セレクタが選択する値を指示するセレクタ制御部と、
前記セレクタの出力信号の品質を計測する品質計測部と、
を備え、
前記セレクタ制御部は、前記品質計測部が計測した信号の品質と前記出力値に要求される品質との比較結果に基づいて、前記セレクタが選択する値を指示することを特徴とする請求項１又は２に記載のトランスバーサルフィルタ。
【請求項４】
前記セレクタが選択する値を指示するセレクタ制御部と、
前記セレクタの出力信号の品質を計測する品質計測部と、
を備え、
前記タップ係数設定器は、前記乗算器に対応するタップ係数を設定し、
前記品質計測部は、前記セレクタの出力信号の品質を計測し
前記セレクタ制御部は、
前記品質計測部が計測した信号の品質と前記出力信号に要求される品質とを比較し、
前記比較の結果、前記計測した信号の品質が前記出力信号に要求される品質を満たしていない場合は、タップ数を１個増やすように、前記セレクタが選択する値を指示することを特徴とする請求項１又は２に記載のトランスバーサルフィルタ。
【請求項５】
伝送路を介して受信装置にデータを送信する送信装置であって、
前記データを、前記伝送路の帯域特性に適した信号に変換するフィルタを備え、
前記フィルタは、
遅延器と乗算器とが直列に接続されて構成され、
タップ係数設定部によって設定された第１のタップ係数と入力信号とを乗算して出力する第１の乗算器と、
前記第１の乗算器が出力した値を所定の時間遅延して出力する第１の遅延器と、
入力信号と前記タップ係数設定部によって設定された第２のタップ係数とを乗算して出力する第２の乗算器と、
前段の遅延器が出力した値と前記第２の乗算器が出力した値とを加算して出力する第１の加算器と、
前記第１の加算器が出力した値を所定の時間遅延して出力する第２の遅延器と、
前記入力信号、第１の遅延器が出力した値又は第２の遅延器が出力した値のいずれか一つを選択して出力するセレクタと、
を備えることを特徴とする送信装置。
【請求項６】
伝送路を介して受信装置にデータを送信する送信装置であって、
前記データを、前記伝送路の帯域特性に適した信号に変換するフィルタを備え、
前記フィルタは、
Ｎ個の乗算器と、Ｎ個の遅延器と、Ｎ−１個の加算器と、タップ係数設定部と、セレクタと、を備え、
１番目の前記遅延器は、前記１番目の乗算器が出力した値を所定の時間遅延し、
ｋ（１≦ｋ≦Ｎ）番目の前記乗算器は、前記タップ係数設定部によって指定されたタップ係数と入力信号とを乗算し、
ｊ（１≦ｊ≦Ｎ−１）番目の前記加算器は、ｊ−１番目の前記遅延器が出力した値とｊ番目の前記乗算器が出力した値とを加算し、
ｈ番目の前記遅延器（２≦ｈ≦Ｎ）は、ｈ−１番目の前記加算器が出力した値を所定の時間遅延し、
前記セレクタは、入力信号又は前記Ｎ番目の遅延器が出力した値のいずれか一つを選択して出力することを特徴とする送信装置。
【請求項７】
前記フィルタは、
前記セレクタが選択する値を指示するセレクタ制御部と、
前記セレクタの出力信号の品質を計測する品質計測部と、
を備え、
前記セレクタ制御部は、前記品質計測部が計測した信号の品質と前記出力値に要求される品質との比較結果に基づいて、前記セレクタが選択する値を指示することを特徴とする請求項５又は６に記載の送信装置。
【請求項８】
前記フィルタは、
前記セレクタが選択する値を指示するセレクタ制御部と、
前記セレクタの出力信号の品質を計測する品質計測部と、
を備え、
前記タップ係数設定器は、前記乗算器に対応するタップ係数を設定し、
前記品質計測部は、前記セレクタの出力信号の品質を計測し
前記セレクタ制御部は、
前記品質計測部が計測した信号の品質と前記出力信号に要求される品質とを比較し、
前記比較の結果、前記計測した信号の品質が前記出力信号に要求される品質を満たしていない場合は、タップ数を１個増やすように、前記セレクタが選択する値を指示することを特徴とする請求項５又は６に記載の送信装置。
【請求項９】
前記品質計測部は、前記受信装置に備えられることを特徴とする請求項７又は８に記載の送信装置。
【請求項１０】
伝送路を介して送信装置からデータを受信する受信装置であって、
前記受信データを、前記伝送路の帯域特性に適した信号に変換するフィルタを備え、
前記フィルタは、
前記フィルタは、
遅延器と乗算器とが直列に接続されて構成され、
タップ係数設定部によって設定された第１のタップ係数と入力信号とを乗算して出力する第１の乗算器と、
前記第１の乗算器が出力した値を所定の時間遅延して出力する第１の遅延器と、
入力信号と前記タップ係数設定部によって設定された第２のタップ係数とを乗算して出力する第２の乗算器と、
前段の遅延器が出力した値と前記第２の乗算器が出力した値とを加算して出力する第１の加算器と、
前記第１の加算器が出力した値を所定の時間遅延して出力する第２の遅延器と、
前記入力信号、第１の遅延器が出力した値又は第２の遅延器が出力した値のいずれか一つを選択して出力するセレクタと、
を備えることを特徴とする受信装置。
【手続補正書】
【提出日】平成20年3月27日(2008.3.27)
【手続補正１】
【補正対象書類名】明細書
【補正対象項目名】発明の名称
【補正方法】変更
【補正の内容】
【発明の名称】情報処理装置
【手続補正２】
【補正対象書類名】明細書
【補正対象項目名】特許請求の範囲
【補正方法】変更
【補正の内容】
【特許請求の範囲】
【請求項１】  第１クロック信号を生成し、電源電圧が第１最低動作電圧以上の電圧で動作可能な第１発振回路と、
第２クロック信号を生成し、前記電源電圧が前記第１最低動作電圧より高い第２最低動作電圧以上の電圧で動作可能な第２発振回路と、
前記電源電圧に基づいて前記第１クロック信号あるいは前記第２クロック信号のいずれかを選択し、クロック信号として出力する切替回路と、
前記クロック信号に同期して情報処理を行う情報処理部と
を備えたことを特徴とする情報処理装置。
【請求項２】  請求項１記載の情報処理装置において、
前記電源電圧が前記第１最低動作電圧以上前記第２最低動作電圧未満の領域においては、前記切替回路は前記第１クロック信号を前記クロック信号として出力し、前記電源電圧が前記第２最低動作電圧以上の領域においては前記切替回路は前記第２クロック信号を前記クロック信号として出力することを特徴とする情報処理装置。
【請求項３】  請求項１または請求項２記載の情報処理装置において、
前記電源電圧を計測する電源電圧計測回路を備えたことを特徴とする情報処理装置。
【請求項４】  発振により第１クロック信号を生成し、発振開始から第１クロック信号の周波数が安定するまでに必要な時間が第１発振安定時間である第１発振回路と、
発振により第２クロック信号を生成し、発振開始から第２クロック信号の周波数が安定するまでに必要な時間が前記第１発振安定時間よりも長い第２発振安定時間である第２発振回路と、
前記第１発振回路の発振開始からの経過時間および前記第２発振回路の発振開始からの経過時間に基づいて前記第１クロック信号あるいは前記第２クロック信号のいずれかを選択してクロック信号として出力する切替回路と、
前記クロック信号に同期して情報処理を行う情報処理部と、
を備えたことを特徴とする情報処理装置。
【請求項５】  請求項４記載の情報処理装置において、
前記切替回路は、前記第１発振安定時間を経過し、かつ前記第２発振安定時間を経過するまでは、前記第１クロック信号を選択し、前記第２発振安定時間を経過した後は前記第２クロック信号を選択することを特徴とする情報処理装置。
【請求項６】  請求項１ないし請求項５のいずれかに記載の情報処理装置において、
前記第１発振回路はＣＲ発振回路、水晶発振回路あるいはセラロック発振回路のいずれかであり、前記第２発振回路はＰＬＬ発振回路であることを特徴とする情報処理装置。
【請求項７】  請求項４記載の情報処理装置において、
前記第１発振回路はＣＲ発振回路、水晶発振回路あるいはセラロック発振回路のいずれかであり、前記第２発振回路はＰＬＬ発振回路であり、
前記切替回路は、前記ＰＬＬ発振回路が同期捕捉を完了する前は、前記第１クロック信号を前記クロック信号として出力し、前記ＰＬＬ発振回路が同期捕捉を完了し、同期維持状態となった後は、前記第２クロック信号を前記クロック信号として出力することを特徴とする情報処理装置。
【請求項８】  請求項７記載の情報処理装置において、
前記切替回路は、前記ＰＬＬ発振回路からロックアップ信号が出力されたときに前記同期捕捉の完了を検知することを特徴とする情報処理装置。
【請求項９】  請求項６記載の情報処理装置において、
前記ＰＬＬ発振回路は、電圧制御電圧に対応する周波数を有する発振信号を出力する電圧制御発振器と、
基準クロック信号と比較発振信号の位相とを比較し比較信号を出力する位相比較器と、
前記比較信号の低域成分を通過させるローパスフィルタと、
前記発振信号を分周し、前記比較発振信号を出力する分周器と、
所定のオフセット電圧を生成するオフセット電圧生成部と、
前期ローパスフィルターの出力信号とオフセット電圧を足し合わせて、電圧制御信号を生成するアダーと、
を備えたことを特徴とする情報処理装置。
【請求項１０】  請求項９記載の情報処理装置において、
前記オフセット電圧生成部は、予めオフセット電圧データを記憶するオフセット電圧データ記憶部と、
前記オフセット電圧データを前記オフセット電圧に変換するＤ／Ａコンバータと、
を備えたことを特徴とする情報処理装置。
【請求項１１】  請求項１０記載の情報処理装置において、
前記ＰＬＬ発振回路は、当該ＰＬＬ発振回路の所定のロックアップ状態における前記電圧制御信号に基づいて、前記オフセット電圧データを生成するオフセット電圧データ生成部を備えたことを特徴とする情報処理装置。
【請求項１２】  請求項９記載の情報処理装置において、
前記オフセット電圧生成部は、所定の電源電圧を分圧して複数の分圧を生成する分圧部と、
前記複数の分圧のいずれかを選択して前記オフセット制御信号とする電圧選択部と、
を備えたことを特徴とする情報処理装置。
【請求項１３】  請求項９記載の情報処理装置において、
前記オフセット電圧生成部は、所定の電源電圧を分圧して前記オフセット電圧を生成する分圧部を備えたことを特徴とする情報処理装置。
【請求項１４】  請求項１１記載の情報処理装置において、
前記所定のロックアップ状態は、前記オフセット電圧生成部による前記オフセット電圧を出力しない状態で前記ＰＬＬ回路を前記発振信号が予め定めた所定の周波数となるようにロックアップさせた状態であることを特徴とする情報処理装置。
【請求項１５】  請求項１１記載の情報処理装置において、
前記ＰＬＬ発振回路は、予め定めた所定のタイミングで前記電圧制御信号の電圧を検出する制御電圧検出部と、
前記制御電圧検出手段の検出結果に基づいて前記オフセット電圧データを補正し、新たなオフセット電圧データとするオフセットデータ補正部と、
を備えたことを特徴とする情報処理装置。
【手続補正３】
【補正対象書類名】明細書
【補正対象項目名】００６４
【補正方法】変更
【補正の内容】
【００６４】
［２．２．２］  ＬＰＦ
図２０にＬＰＦの詳細構成並びに対応する自然角周波数およびダンピングファクタを示す。
図２０に示すＬＰＦ５３Ｃは、いわゆるラグ・リード・フィルタであり一般的なＬＰＦである。動作速度的には、アンプを内蔵するアクティブフィルタに劣るが、ＣＭＯＳ構成のＰＬＬＩＣを構成する場合には、十分な実用性を有しており、ロックインタイムを１０［ｍｓｅｃ］前後にすることが可能となっている。
この場合、自然角周波数ωｎおよびダンピングファクタζは、それぞれ、以下の通りである。
ωｎ＝［（Kp・Kv）/｛(T1+T2)・N｝］1/2
ζ =ωｎ/2 ・ ｛T2+N/（Kp・Kv）｝
各変数は以下の通りである。
Kp：位相比較器の利得定数（Ｖ／ｒａｄ）
Kv：電圧制御発振器の利得定数（ｒａｄ／ｓｅｃ／Ｖ）
Ｎ ：分周器の分周数
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
エンジンによる駆動によって複数のポンプ室が連続的に容積を増減変化させ、吸入ポートで吸い込んだオイルを加圧して吐出ポートから吐出するオイルポンプにおいて、
オイルが流入するオイルチャンバを設け、そのオイルチャンバのオイル流入口を同チャンバの鉛直上方側位置にて前記吐出ポートに連通させたことを特徴とするオイルポンプ。
【請求項２】
前記オイルチャンバの内部上壁を、オイル流入口が鉛直上方側になるように水平方向に対して傾斜させたことを特徴とする請求項１に記載のオイルポンプ。
【請求項３】
前記オイル流入口の吐出ポートに臨む部位を、表面張力によってオイルが保持される開口面積にしたことを特徴とする請求項１または２に記載のオイルポンプ。
【請求項４】
吸入ポートで吸い込んだオイルを加圧して吐出ポートから吐出するトロコイド形のオイルポンプであって、
前記吐出ポートに連通すると共に、エアが溜まることのないオイルチャンバを設けたことを特徴とするオイルポンプ。
【請求項５】
エンジンの二次振動を打ち消すバランサシャフトに駆動され、吸入ポートで吸い込んだオイルを加圧して吐出ポートから吐出するオイルポンプであって、
前記吐出ポートに連通すると共に、内部に入り込んだエアを排出可能なオイルチャンバを設けたことを特徴とするオイルポンプ。
【請求項６】
エンジンの二次振動を打ち消すバランサシャフトによって駆動され、吸入ポートで吸い込んだオイルを加圧して吐出ポートから吐出するトロコイド形のオイルポンプであって、
鉛直上方側の位置にて前記吐出ポートに連通したオイルチャンバを設け、
該オイルチャンバと前記吐出ポートとを、ブロック同士の接合部間に半割状に形成したことを特徴とするオイルポンプ。
【請求項７】
クランクシャフトの２倍の速度で回転し、エンジンの二次振動を打ち消すバランサシャフトによって駆動され、吸入ポートで吸い込んだオイルを加圧して吐出ポートから吐出するトロコイド形のオイルポンプであって、
鉛直上方側位置にて前記吐出ポートに連通路によって連通したオイルチャンバを設け、
前記連通路は、前記オイルチャンバより断面積が小さいことを特徴とするオイルポンプ。
【手続補正２】
【補正対象書類名】明細書
【補正対象項目名】００２５
【補正方法】変更
【補正の内容】
【００２５】
オイルチャンバ１８内に導入されているオイルには若干のエアが含まれているため、連通路１７に作用する吐出ポート１６の脈圧はオイルチャンバ１８内のオイルの若干の容積変化によって減衰される。また、オイルチャンバ１８と吐出ポート１６の共振周波数は同じにならないように設定されているため、吐出ポート１６側とオイルチャンバ１８側の脈圧は常時相互に干渉し合う。このため、このオイルポンプ１にあっては、広範囲の周波数域において吐出ポート１６の脈圧を効果的に低減することができる。
【手続補正３】
【補正対象書類名】明細書
【補正対象項目名】００２６
【補正方法】変更
【補正の内容】
【００２６】
また、このオイルポンプ１においては、オイルチャンバ１８が該オイルチャンバ１８の鉛直方向上部にて連通孔１７を介して吐出ポート１６に開口しているため、エンジンを長時間停止して吐出ポート１６からオイルが抜け落ちることがあっても、オイルチャンバ１８内のオイルは抜け落ちることがない。したがって、エンジン停止時にオイルチャンバ１８内に大量のエアが入り込むことがなく、エンジン始動後に所定回転域でエアが急激に吐き出されて脈圧性能が急変する不具合は生じない。
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
エンジンによる駆動によって複数のポンプ室が連続的に容積を増減変化させ、吸入ポートで吸い込んだオイルを加圧して吐出ポートから吐出するオイルポンプにおいて、
吐出ポートに導通するオイルチャンバを、吐出ポートに対して隔壁を隔てて設け、その隔壁をオイルの脈圧によって変形可能としたことを特徴とするオイルポンプ。
【請求項２】
エンジンによる駆動によって複数のポンプ室が連続的に容積を増減変化させ、吸入ポートで吸い込んだオイルを加圧して吐出ポートから吐出するオイルポンプであって、吐出ポート形成部を含むポンプハウジングがアルミニウム合金によって形成された複数のハウジング構成ブロックを相互に結合して構成されたものにおいて、
吐出ポートに導通するオイルチャンバを、吐出ポートに対して隔壁を隔てて設け、前記オイルチャンバと吐出ポートを複数のハウジング構成ブロックに跨らせて形成し、前記隔壁をハウジング構成ブロック相互の合わせ面に向かって先細り状になるように形成したことを特徴とするオイルポンプ。
【請求項３】
前記オイルチャンバを、その長手方向が吐出ポートの延出方向に沿うように形成したことを特徴とする請求項１または２に記載のオイルポンプ。
【請求項４】
クランクシャフトの２倍の速度で回転して、エンジンの二次振動を打ち消すバランサシャフトによって駆動され、複数のポンプ室が連続的に容積を変化させ、吸入ポートで吸い込んだオイルを加圧して吐出ポートから吐出するトロコイド形のオイルポンプであって、
前記吐出ポートの形成部を含むポンプハウジングを、アルミニウム合金によって形成された複数のハウジング構成ブロックを相互に結合して構成すると共に、前記吐出ポートに導通するオイルチャンバを、吐出ポートに対して隔壁を隔てて設け、前記オイルチャンバと吐出ポートを複数のハウジング構成ブロックに跨って形成し、前記隔壁をハウジング構成ブロック相互の合わせ面に向かって先細り状になるように形成したことを特徴とするオイルポンプ。
【手続補正書】
【提出日】平成20年6月23日(2008.6.23)
【手続補正１】
【補正対象書類名】明細書
【補正対象項目名】００４９
【補正方法】変更
【補正の内容】
【００４９】
【表１】
表−１  濾過性能比較
2002239354.tif 000001
【手続補正書】
【提出日】平成20年2月14日(2008.2.14)
【手続補正１】
【補正対象書類名】明細書
【補正対象項目名】特許請求の範囲
【補正方法】変更
【補正の内容】
【特許請求の範囲】
【請求項１】
複数の端末装置がネットワークに接続され、該ネットワーク上で各端末装置が所定のゲームアプリケーションプログラムを実行するように構成されてなるネットワークゲームシステムにおいて、
前記ゲームアプリケーションプログラムに登場するアイテムは、ゲームの状況に応じて価値変動することを特徴とするネットワークゲームシステム。
【請求項２】
請求項１記載のネットワークゲームシステムであって、
前記ゲームアプリケーションプログラムに登場するアイテムは、該ゲーム中での該アイテムの供給量に応じて価値変動することを特徴とするネットワークゲームシステム。
【請求項３】
請求項２記載のネットワークゲームシステムであって、
前記ゲームアプリケーションプログラムに登場するアイテムは、変動した価値に応じて効力、威力、その他属性の設定された数値が変動することを特徴とするネットワークゲームシステム。
【請求項４】
複数の端末装置がネットワークに接続されてなるネットワークシステムにおいて、該ネットワーク上の各端末装置のコンピュータの処理装置に所定のネットワークゲームの手順を実行させるためのゲームアプリケーションプログラムであって、
当該ネットワークゲーム中、前記処理装置に、前記ゲームに登場するアイテムの価値を当該ゲームの状況に応じて変動させる手順を実行させるゲームアプリケーションプログラム。
【請求項５】
複数の端末装置がネットワークに接続されてなるネットワークシステムにおいて、該ネットワーク上の各端末装置のコンピュータの処理装置に所定のネットワークゲームの手順を実行させるためのプログラムであって、
当該ネットワークゲーム中、前記処理装置に、前記ゲームに登場するアイテムの価値を当該ゲームの状況に応じて変動させる手順を実行させるゲームアプリケーションプログラムを記録したコンピュータ読取可能な記録媒体。
【手続補正書】
【提出日】平成20年2月12日(2008.2.12)
【手続補正１】
【補正対象書類名】明細書
【補正対象項目名】特許請求の範囲
【補正方法】変更
【補正の内容】
【特許請求の範囲】
【請求項１】
ボス部を備えたボス部付き板金物において、平板状の金属製素材の外周部に複数の径方向の切欠きを形成して、この切欠き付き素材に絞り加工を施して膨出部を成形し、その後、この膨出部に後工程を施してボス部を成形したことを特徴とするボス部付き板金物。
【請求項２】
前記切欠きは前記ボス部を中心に径方向に配置され、かつ前記金属製素材の外周部の外側に開いていることを特徴とする請求項１に記載のボス部付き板金物。
【請求項３】
素材の外周部に形成する複数の径方向の切欠きは、絞り加工終了後、その切欠き端面が互いに略密着するように予め設定してあることを特徴とする請求項１または２に記載のボス部付き板金物。
【請求項４】
ボス部を備えたボス部付き板金物の製造方法において、平板状の金属製素材の外周部に複数の径方向の切欠きを形成して、この切欠き付き素材に絞り加工を施して膨出部を成形し、その後、この膨出部に後工程を施してボス部を成形することを特徴とするボス部付き板金物の製造方法。
【請求項５】
前記切欠きは前記ボス部を中心に径方向に配置され、かつ前記金属製素材の外周部の外側に開いていることを特徴とする請求項４に記載のボス部付き板金物の製造方法。
【請求項６】
素材の外周部に形成する複数の径方向の切欠きは、絞り加工終了後、その切欠き端面が互いに略密着するように予め設定してあることを特徴とする請求項４または５に記載のボス部付き板金物の製造方法。
【請求項７】
素材の外周部に形成する複数の切欠きの径方向長さは、素材の半径の１／３以上であることを特徴とする請求項４ないし６のいずれか一項に記載のボス部付き板金物の製造方法。
【請求項８】
請求項１ないし３のいずれか一項に記載のボス部付き板金物を芯金として成る樹脂製ギヤ。
【請求項９】
請求項４ないし７に記載のいずれかの方法により芯金を製造することを特徴とする樹脂製ギヤの製造方法。
【手続補正２】
【補正対象書類名】明細書
【補正対象項目名】０００１
【補正方法】変更
【補正の内容】
【０００１】
【発明の属する技術分野】
本発明は、平板状の金属製素材に絞り加工を施してボス部を成形するボス部付き板金物、その製造方法および樹脂製ギヤの製造方法に関する。ここで、板金物とは、例えば、樹脂製ギヤに用いる回転軸嵌合用の筒状ボス部を備えた金属製の芯金、又は回転軸嵌合用の筒状ボス部を備えたプーリーである。
【手続補正３】
【補正対象書類名】明細書
【補正対象項目名】０００９
【補正方法】変更
【補正の内容】
【０００９】
本発明は、上述したような事情に鑑みてなされたものであって、所望の内径、肉厚や高さを有し、強度的に満足できる筒状のボス部を小さなプレス機を用いて一体的に成形して、製造コストの低減および板金物の軽量化を図ることができるボス部付き板金物、その製造方法および樹脂製ギヤの製造方法を提供することを目的とする。
【手続補正４】
【補正対象書類名】明細書
【補正対象項目名】００１１
【補正方法】変更
【補正の内容】
【００１１】
また、請求項３は、素材の外周部に形成する複数の径方向の切欠きは、絞り加工終了後、その切欠き端面が互いに略密着するように予め設定してあることを特徴とする請求項１に記載のボス部付き板金物である。
【手続補正５】
【補正対象書類名】明細書
【補正対象項目名】００１２
【補正方法】変更
【補正の内容】
【００１２】
さらに、請求項４は、ボス部を備えたボス部付き板金物の製造方法において、平板状の金属製素材の外周部に複数の径方向の切欠きを形成して、この切欠き付き素材に絞り加工を施して膨出部を成形し、その後、この膨出部に後工程を施してボス部を成形することを特徴とするボス部付き板金物の製造方法である。
【手続補正６】
【補正対象書類名】明細書
【補正対象項目名】００１３
【補正方法】変更
【補正の内容】
【００１３】
さらに、請求項６は、素材の外周部に形成する複数の径方向の切欠きは、絞り加工終了後、その切欠き端面が互いに略密着するように予め設定してあることを特徴とする請求項４に記載のボス部付き板金物の製造方法である。
【手続補正７】
【補正対象書類名】明細書
【補正対象項目名】００１４
【補正方法】変更
【補正の内容】
【００１４】
さらに、請求項７は、素材の外周部に形成する複数の切欠きの径方向長さは、素材の半径の１／３以上であることを特徴とする請求項４に記載のボス部付き板金物の製造方法である。
【手続補正書】
【提出日】平成20年2月18日(2008.2.18)
【手続補正１】
【補正対象書類名】明細書
【補正対象項目名】特許請求の範囲
【補正方法】変更
【補正の内容】
【特許請求の範囲】
【請求項１】  複数の穴加工を施したプレート電極と工具電極との間で放電加工してプレート電極のパターンを工具電極に転写し、転写後の工具電極と被加工材との間で放電加工し、かつそれらの放電加工の際に、工具電極とプレート電極もしくは被加工材との距離を、振動駆動用のアクチュエータにて任意の周波数と振幅で変化させるとともに工具電極とプレート電極もしくは被加工材との距離の変化に同期して放電パルスの発生を制御することを特徴とするマイクロ放電加工方法。
【請求項２】  複数の穴加工を施したプレート電極と、工具電極と、工具電極とプレート電極もしくは被加工材との間にパルス放電を発生する手段と、プレート電極もしくは被加工材をＸＹ平面で位置決めする手段と、工具電極をＸＹ平面に直交するＺ方向に位置決めする手段と、工具電極とプレート電極もしくは被加工材との距離を任意の周波数と振幅で変化させる振動手段と、工具電極とプレート電極もしくは被加工材との距離の変化に同期して放電パルスを制御する手段を備えたことを特徴とするマイクロ放電加工装置。
【手続補正２】
【補正対象書類名】明細書
【補正対象項目名】０００６
【補正方法】変更
【補正の内容】
【０００６】
【課題を解決するための手段】
本発明のマイクロ放電加工方法は、複数の穴加工を施したプレート電極と工具電極との間で放電加工してプレート電極のパターンを工具電極に転写し、転写後の工具電極と被加工材との間で放電加工し、かつそれらの放電加工の際に、工具電極とプレート電極もしくは被加工材との距離を、振動駆動用のアクチュエータにて任意の周波数と振幅で変化させるとともに工具電極とプレート電極もしくは被加工材との距離の変化に同期して放電パルスの発生を制御することを特徴とする。本発明によれば、工具電極と被加工材との距離を任意の周波数と振幅で変化させることにより工具電極を回転せずに適正な放電加工ができるため、複数の穴加工や任意のパターンの穴加工をそれに対応した工具電極を用いて一度に加工することができて生産性を向上でき、また誤差の累積が少なくなって高精度に加工でき、かつ工具電極と被加工材との距離の変化に同期して放電パルスの発生を制御するので、距離の大きい状態で電圧がかからないため、電解電流が流れて放電用の充電が不充分になったり、被加工材が異常溶出したりするのを防止でき、高い加工精度を確保でき
る。
【手続補正３】
【補正対象書類名】明細書
【補正対象項目名】０００７
【補正方法】変更
【補正の内容】
【０００７】
また、プレート電極の複数の穴を転写した工具電極を用いることで、精度の高い工具電極を作業性良く作製でき、生産性を向上できる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、本発明のマイクロ放電加工装置は、複数の穴加工を施したプレート電極と、工具電極と、工具電極とプレート電極もしくは被加工材との間にパルス放電を発生する手段と、プレート電極もしくは被加工材をＸＹ平面で位置決めする手段と、工具電極をＸＹ平面に直交するＺ方向に位置決めする手段と、工具電極とプレート電極もしくは被加工材との距離を任意の周波数と振幅で変化させる振動手段と、工具電極とプレート電極もしくは被加工材との距離の変化に同期して放電パルスを制御する手段を備えることで、上記のようにプレート電極の複数の穴を転写した工具電極を用いて被加工物を加工することができ、精度の高い工具電極を作業性良く作製できて高い精度の加工を生産性良く実施できる。
【手続補正７】
【補正対象書類名】明細書
【補正対象項目名】００１１
【補正方法】削除
【補正の内容】
【手続補正８】
【補正対象書類名】明細書
【補正対象項目名】００２６
【補正方法】変更
【補正の内容】
【００２６】
【発明の効果】
本発明のマイクロ放電加工方法及び装置によれば、以上のように工具電極と被加工材との距離を任意の周波数と振幅で変化させることにより工具電極を回転せずに適正に放電加工ができ、複数の穴加工や任意のパターンの穴加工をそれに対応した工具電極を用いて一度に加工することができて生産性を向上でき、また誤差の累積が少なくなって高精度に加工でき、かつ工具電極と被加工材との距離の変化に同期して放電パルスの発生を制御することにより、相対距離の大きい状態で電圧がかからないようにして電解電流が流れて放電用の充電が不充分になったり、被加工材が異常溶出したりするのを防止できて高い加工精度を確保できる。特に、超純水を用いた高速加工の可能性を最大限に引き出し、なおかつ
高精度を実現することができる。
【手続補正９】
【補正対象書類名】明細書
【補正対象項目名】００２７
【補正方法】変更
【補正の内容】
【００２７】
また、転写後の工具電極と被加工材との間で放電加工することにより、大量のマイクロ形状を均一に加工する作業において、精度の高い工具電極を作業性良く作製でき、高精度で生産性の高い加工を容易に実現することができる。
【手続補正１０】
【補正対象書類名】明細書
【補正対象項目名】００２８
【補正方法】削除
【補正の内容】